(57)【要約】【課題】通話中の着信に対して任意に留守応答することができる情報通信端末および情報通信方法を提供する。【解決手段】ＩＰ電話機などの情報通信端末により構成された端末１と、この端末１に備わる送／受話器６と、電話番号や留守応答設定などの指示を入力するための指示入力手段７と、通話を記録するための通話記録部２と、留守応答をして相手の音声（メッセージ９を記録するための留守応答記録部３と、通話記録部２と留守応答記録部３のいずれか一方を選択して機能させるための切替器４と、を備える。ＩＩＴに対して留守応答をする場合は指示入力手段７を操作して留守応答を起動し、留守応答動作を実行させる。【選択図】図１
2008252848.tif 000002
【特許請求の範囲】
【請求項１】
情報通信網を介した通信を行うための情報通信端末を有する情報通信システムにおいて、
前記情報通信端末における前記通信の最中に着信した割り込み呼について前記通信と独立して応答し記録するための記録手段
を備えることを特徴とする情報通信システム。
【請求項２】
前記記録手段は、
前記通信の最中において任意に起動可能とするための起動手段
を備えることを特徴とする請求項１に記載の情報通信システム。
【請求項３】
情報通信網を介した通信を行うための情報通信端末を用いた情報通信方法において、
記録手段において前記情報通信端末における前記通信の最中に着信した割り込み呼について前記通信と独立して応答し記録するステップ
を有することを特徴とする情報通信方法。
【請求項４】
前記記録手段は、
起動手段において前記通信の最中において任意に起動可能とするステップ
を有することを特徴とする請求項３に記載の情報通信方法。
【発明の詳細な説明】
【技術分野】
【０００１】
本発明は、情報通信システムおよび情報通信方法に関する。
【背景技術】
【０００２】
従来において、電話回線を介して通話するための電話機には、不在時の着信に応答してその内容を録音するための留守番電話機能が搭載されている。この留守番電話機能は不在時には留守番電話として機能し、着信に応答中はその通話の内容を録音するための録音機としても用いられている（特許文献１参照）。
【０００３】
また、従来の電話機は利用者が通話可能な相手が１人のみであることから、２通話分を同時に電話機にて扱うことは想定せずに、切替により常に１通話分の利用ができるようになっていた。複数の電話機の上部に共通の留守番電話ボックスを設置して、上部の共通留守番ボックスがもう１通話を制御する構成の電話機の場合、１通話をしつつ同時に留守番電話ボックスに通話していない他方の電話機への着信について応答させることにより、２通話分の通話を一台の電話機で制御している。
【特許文献１】特開平０５−０２２３９８号公報
【発明の開示】
【発明が解決しようとする課題】
【０００４】
しかしながら、従来の留守番電話機能を備えた電話機では、着信を受けて通話中の音声は録音できるものの、通話中に着信した別の呼に対してはたとえばキャッチホン（登録商標）サービスなどを利用して受話切替ができるのみであり、別の呼に対して留守番電話機能でもって応対することはできなかった。
【０００５】
このような課題に鑑み、本発明は、通話中の着信に対して任意に留守応答することができる情報通信端末および情報通信方法を提供することを目的とする。
【課題を解決するための手段】
【０００６】
請求項１に記載の本発明は、情報通信網を介した通信を行うための情報通信端末を有する情報通信システムにおいて、前記情報通信端末における前記通信の最中に着信した割り込み呼について前記通信と独立して応答し記録するための記録手段を備える。
【０００７】
また、請求項２に記載の本発明は、請求項１において、前記記録手段は、前記通信の最中において任意に起動可能とするための起動手段を備える。
【０００８】
また、請求項３に記載の本発明は、情報通信網を介した通信を行うための情報通信端末を用いた情報通信方法において、記録手段において前記情報通信端末における前記通信の最中に着信した割り込み呼について前記通信と独立して応答し記録するステップを有する。
【０００９】
また、請求項４に記載の本発明は、請求項３において、前記記録手段は、起動手段において前記通信の最中において任意に起動可能とするステップを有する。
【発明の効果】
【００１０】
本発明によれば、通話中の着信に対して任意に留守応答することができる情報通信端末および情報通信方法を提供することができる。
【発明を実施するための最良の形態】
【００１１】
図１は、本発明の情報通信システムの実施の形態を説明するための全体構成図を示している。この図１には、電話回線網やＩＰ電話回線網およびインターネットなどの情報通信網１０と、この情報通信網１０に接続して発呼を行う発呼者Ａ１１と、同じく情報通信網１０に接続して発呼を行う発呼者Ｂ１２と、交換機５と、が示されている。これらの構成は本実施の形態を説明するために示されたものであり、本発明の情報通信システムには含まれない。
【００１２】
さらに図１には、ＩＰ電話機などの情報通信端末により構成された端末１と、この端末１に備わる送／受話器６と、電話番号や留守応答設定などの指示を入力するための指示入力手段７と、通話を記録するための通話記録部２と、留守応答をして相手の音声（留守電メッセージ）を記録するための留守応答記録部３と、通話記録部２と留守応答記録部３のいずれか一方を選択して機能させるための切替器４と、が示されて情報通信システムを構成している。なお、通話記録部２と、留守応答記録部３と、切替器４と、は端末１に実装してもよい。
【００１３】
また、図２には図１に示した情報通信システムの別の構成の一例を示している。この図２には図１の情報通信システムの構成と異なり、交換機５に接続する留守応答サーバ２３と、この留守応答サーバ２３に接続されて制御され通話内容を記録する通話記録サーバ２４と、同じく留守応答サーバ２３に接続されて制御され留守応答をして相手の音声を記録するための留守応答記録サーバ２５と、が備わる。なお、端末２０にはこれらの構成は実装されず、たとえばホームサーバなどにこれらの機能を実装してもよい。また、端末２０には送／受話器２１と、指示入力手段２２と、が備わる。
【００１４】
次の図３には本実施の形態において実行される留守応答処理の流れを説明するためのフロー図を示している。このフロー図に示す処理は図１および図２に示した構成のいずれでも実行可能であるが、図１に示した構成を説明の前提とする。
【００１５】
まず端末１にて発呼者Ａ１１（相手Ａ）と通話中である（ステップＳ１）。この通話最中において発呼者Ｂ１２（相手Ｂ）から端末１へ発呼され着信が生じる（ステップＳ２）。この発呼者Ｂ１２からの着信に応じて端末１の送／受話器６にＩＩＴ（割り込み音）が鳴動する（ステップＳ３）。
【００１６】
ステップＳ３におけるＩＩＴに対して、発呼者Ａ１１と通話中の図示しない利用者は発呼者Ｂ１２からの着信に応答するか否かを判断する（ステップＳ４）。この判断において発呼者Ｂ１２からの着信に応答する「はい」の場合は、発呼者Ｂ１２への通話切替を実行する（ステップＳ５）。この通話切替は指示入力手段７を利用者が操作することにより行われる。また一方で、発呼者Ｂ１２からの着信に応答したくなく「いいえ」である場合は、ステップＳ６へ処理が進む。
【００１７】
ステップＳ６では着信番号に留守設定がされているか否かが判断される（ステップＳ６）。ここで着信番号に留守設定がされている場合は「はい」へ進み、ステップＳ７において留守応答回数が設定回数に達したか否かが判断される。
【００１８】
なお、留守応答回数とは、着信があった場合のＩＩＴ鳴動の回数であり予め任意の回数に設定しておくことができる。設定された回数に呼び回数が達した後に留守応答が起動する。このステップＳ７において、留守応答回数が設定回数に達した場合は指示入力手段７を操作して留守応答を起動させることにより「はい」へ処理が進み、ステップＳ１１にて留守応答が実行されメッセージが録音される。
【００１９】
また、ステップＳ７において留守応答回数が設定回数に達していないと判断された場合は何もしないことにより「いいえ」へ処理が進む。「いいえ」へ処理が進むことによりステップＳ８において、この着信に留守応答するか否かが判断される。
【００２０】
この判断において、留守応答をする場合は指示入力手段７を操作して留守応答を起動することにより留守応答すると判断され、「はい」へ処理が進み、ステップＳ９においてステップＳ７と同様に留守応答回数が設定回数に達したか否かが判断される。設定回数に達したと判断されると「はい」へ処理が進み、ステップＳ１１にて留守応答が実行される。また、設定回数に達していないと判断されると「いいえ」へ処理が進み、ステップＳ１０にて相手Ｂの着信が終了するまでＩＩＴ鳴動が続く。なお、ステップＳ８において留守応答をしないと判断すると「いいえ」へ処理が進み、やはりステップＳ１０にて相手Ｂの着信が終了するまでＩＩＴ鳴動が続く。
【００２１】
なお、図２に示した構成では端末２０から留守応答サーバ２３をリモートで制御し、留守応答記録サーバ２５に留守対応の応答を記録することができる。この構成の場合は、端末２０に留守番電話機能を持たせる必要が無いので、端末２０の構成が単純化でき汎用性も高めることができる。
【００２２】
以上説明した実施の形態によれば、通話中の着信に対して任意に留守応答することができる情報通信端末および情報通信方法を提供することができる。
【図面の簡単な説明】
【００２３】
【図１】実施の形態を説明するための全体構成図を示す。
【図２】実施の形態を説明するための別の全体構成図を示す。
【図３】実施の形態における留守応答処理の流れを説明するためのフロー図を示す。
【符号の説明】
【００２４】
１、２０  端末
２  通話記録部
３  留守応答記録部
４  切替器
５  交換機
６、２１  送／受話器
７、２２  指示入力手段
１０  情報通信網
１１  発呼者Ａ
１２  発呼者Ｂ
２３  留守応答サーバ
２４  通話記録サーバ
２５  留守応答記録サーバ
【図１】
2008252848.tif 000003
【図２】
2008252848.tif 000004
【図３】
2008252848.tif 000005